(57)【要約】【課題】蒸発器から熱負荷に循環供給するブライン温度の安定化を図った吸収式冷凍機を提供すること。【解決手段】低熱源再生器９、高温再生器５、低温再生器６、蒸発器１、第１凝縮器７、第２凝縮器１０及び吸収器２を備え、これらを配管接続して吸収液及び冷媒の循環経路をそれぞれ形成し、低熱源再生器９に供給される温水を熱源として吸収液を加熱する一重効用運転と、当該吸収液を高温再生器５が備えるガスバーナ４を熱源として加熱する一重二重効用運転もしくは二重効用運転とを可能に構成された吸収式冷凍機において、高温再生器５の中間吸収液溜り５Ｃと、低温再生器６から吸収器２に至る濃吸収液管２５とを供給開閉弁Ｖ２が介在する吸収液供給管２７により接続した。【選択図】図１
2010266170.tif 000002
【特許請求の範囲】
【請求項１】
低熱源再生器、高温再生器、低温再生器、蒸発器、凝縮器及び吸収器を備え、これらを配管接続して吸収液及び冷媒の循環経路をそれぞれ形成し、低熱源再生器に供給される温水を熱源として吸収液を加熱する一重効用運転と、当該吸収液を高温再生器が備える加熱手段を熱源として加熱する一重二重効用運転もしくは二重効用運転とを可能に構成された吸収式冷凍機において、
前記高温再生器の中間吸収液溜り、もしくは、この中間吸収液溜りから前記低温再生器に至る中間吸収液管と前記低温再生器から前記吸収器に至る濃吸収液管とを開閉弁が介在する吸収液供給管により接続したことを特徴とする吸収式冷凍機。
【請求項２】
前記一重効用運転から前記一重二重効用運転もしくは前記二重効用運転に移行する際に、前記開閉弁を開放することを特徴とする請求項１に記載の吸収式冷凍機。
【請求項３】
前記一重二重効用運転もしくは前記二重効用運転から前記一重効用運転に移行する際に、前記低熱源再生器から前記高温再生器への吸収液の供給を停止することを特徴とする請求項１または２に記載の吸収式冷凍機。
【請求項４】
前記一重効用運転の運転中、定期的または不定期に、前記ガスバーナを着火することを特徴とする請求項１乃至３のいずれかに記載の吸収式冷凍機。
【請求項５】
前記中間吸収液溜り内の吸収液の液面高さを検知する液面検知センサを備え、この液面検知センサが検知した液面高さが所定の高さ以上の時に、前記前記開閉弁を開放することを特徴とする請求項１乃至４のいずれかに記載の吸収式冷凍機。
【発明の詳細な説明】
【技術分野】
【０００１】
本発明は、温水等を熱源とする低熱源再生器を備える吸収式冷凍機に関する。
【背景技術】
【０００２】
一般に、低熱源再生器、高温再生器、低温再生器、蒸発器、凝縮器及び吸収器を備え、これらを配管接続して吸収液及び冷媒の循環経路をそれぞれ形成した吸収式冷凍機が知られている（例えば、特許文献１参照）。この種の吸収式冷凍機では、低熱源再生器に供給される温水を熱源として吸収液を加熱再生する一重効用運転と、当該吸収液を高温再生器が備えるガスバーナを熱源として加熱再生する一重二重効用運転、二重効用運転とを選択して運転可能に構成されている。
【特許文献１】特公平０３−８４６５号公報
【発明の開示】
【発明が解決しようとする課題】
【０００３】
ところで、例えば、一重効用運転から一重二重効用運転もしくは二重効用運転に移行する場合、ガス加熱運転ではガスバーナのパージ動作等を要するため、運転開始からバーナに着火するまでタイムラグが生じる。このため、運転開始直後の吸収液は高温再生器及び低温再生器で加熱再生が十分に行われず、さらに、高温再生器から吐出された吸収液が循環経路内に残存する濃度の低い吸収液と混合することにより、吸収器に供給される吸収液の濃度が低下する。このため、吸収器で吸収液に吸収される冷媒量が変動することにより、蒸発器での冷媒の蒸発量が変動し、蒸発器から熱負荷に循環供給するブラインの温度が変動するおそれがあった。
【０００４】
本発明は、上述した事情に鑑みてなされたものであり、蒸発器から熱負荷に循環供給するブライン温度の安定化を図った吸収式冷凍機を提供することを目的とする。
【課題を解決するための手段】
【０００５】
上記課題を解決するため、本発明は、低熱源再生器、高温再生器、低温再生器、蒸発器、凝縮器及び吸収器を備え、これらを配管接続して吸収液及び冷媒の循環経路をそれぞれ形成し、低熱源再生器に供給される温水を熱源として吸収液を加熱する一重効用運転と、当該吸収液を高温再生器が備える加熱手段を熱源として加熱する一重二重効用運転もしくは二重効用運転とを可能に構成された吸収式冷凍機において、前記高温再生器の中間吸収液溜り、もしくは、この中間吸収液溜りから前記低温再生器に至る中間吸収液管と前記低温再生器から前記吸収器に至る濃吸収液管とを開閉弁が介在する吸収液供給管により接続したことを特徴とする。
【０００６】
この構成によれば、高温再生器の中間吸収液溜り、もしくは、この中間吸収液溜りから低温再生器に至る中間吸収液配管と低温再生器から吸収器に至る濃吸収液管とを開閉弁が介在する吸収液供給管により接続したため、例えば、一重効用運転から一重二重効用運転もしくは二重効用運転に移行する際に、開閉弁を開放することにより、高温再生器内の高濃度の吸収液を、吸収液供給管を通じて、直ちに吸収器に供給することができる。このため、吸収器に供給される吸収液の濃度の低下が防止され、この濃度低下に伴う蒸発量の低下が抑制できるため、蒸発器での熱交換が十分に行われ、ブライン温度を安定させることができる。
【０００７】
この構成において、前記一重効用運転から前記一重二重効用運転もしくは前記二重効用運転に移行する際に、前記開閉弁を開放する構成としても良い。
【０００８】
また、前記一重二重効用運転もしくは前記二重効用運転から前記一重効用運転に移行する際に、前記低熱源再生器から前記高温再生器への吸収液の供給を停止する構成としても良い。この構成によれば、低熱源再生器から高温再生器への濃度の低い吸収液の供給を防止できるため、一重効用運転中における高温再生器内の吸収液を所定濃度よりも高い濃度に保持することができ、例えば、一重効用運転から一重二重効用運転もしくは二重効用運転に移行する際に、開閉弁を開放するだけで、高温再生器内の高濃度の吸収液を直ちに吸収器に供給することができる。
【０００９】
また、前記一重効用運転の運転中に、定期的または不定期に、前記ガスバーナを着火する構成としても良い。この構成によれば、高温再生器内での吸収液の温度低下を抑えることにより、この吸収液の結晶化が防止されるため、一重効用運転中における高温再生器内の吸収液を所定濃度よりも高い濃度に保持することができる。このため、例えば、一重効用運転から一重二重効用運転もしくは二重効用運転に移行する際に、開閉弁を開放するだけで、高温再生器内の高濃度の吸収液を直ちに吸収器に供給することができる。
【００１０】
また、前記中間吸収液溜り内の吸収液の液面高さを検知する液面検知センサを備え、この液面検知センサが検知した液面高さが所定の高さ以上の時に、前記前記開閉弁を開放する構成としても良い。この構成によれば、例えば、高温再生器内に貯留される際の液面高さを予め規定しておくことにより、開閉弁が開放された際に供給されるオーバーフロー量を簡単に算出できるため、高温再生器から吸収器へ吸収液を供給する際の制御を容易に行うことができる。
【発明の効果】
【００１１】
本発明によれば、高温再生器の中間吸収液溜り、もしくは、この中間吸収液溜りから低温再生器に至る中間吸収液配管と低温再生器から吸収器に至る濃吸収液管とを開閉弁が介在する吸収液供給管により接続したため、例えば、一重効用運転から一重二重効用運転もしくは二重効用運転に移行する際に、開閉弁を開放することにより、高温再生器内の高濃度の吸収液を、吸収液供給管を通じて、直ちに吸収器に供給することができる。このため、吸収器に供給される吸収液の濃度の低下が防止され、この濃度低下に伴う蒸発量の低下が抑制できるため、蒸発器での熱交換が十分に行われ、ブライン温度を安定させることができる。
【発明を実施するための最良の形態】
【００１２】
以下、図面を参照して本発明の一実施形態を説明する。
図１は、本実施形態にかかる吸収式冷温水機（吸収式冷凍機）１００の概略構成図である。吸収式冷温水機１００は、冷媒に水を、吸収液に臭化リチウム（ＬｉＢｒ）水溶液を使用した一重二重効用型の吸収式冷温水機である。
吸収式冷温水機１００は、図１に示すように、蒸発器１と、この蒸発器１に並設された吸収器２と、これら蒸発器１及び吸収器２を収納した蒸発器吸収器胴３と、ガスバーナ（加熱手段）４を備えた高温再生器５と、低温再生器６と、この低温再生器６に並設された第１凝縮器７と、これら低温再生器６及び第１凝縮器７を収納した低温再生器凝縮器胴８と、他の設備から供給される温水などを熱源とする低熱源再生器９と、この低熱源再生器９に並設された第２凝縮器１０と、これら低熱源再生器９及び第２凝縮器１０を収納した低熱源再生器凝縮器胴１１と、低温熱交換器１２と、高温熱交換器１３と、稀吸収液ポンプＰ１と、中間吸収液ポンプＰ２と、冷媒ポンプＰ３とを備え、これらの各機器が吸収液管２１〜２６及び冷媒管３１〜３６などを介して配管接続されている。
また、符号１４は、蒸発器１内で冷媒と熱交換したブラインを、図示しない熱負荷（例えば空気調和装置）に循環供給するための冷／温水管であり、この冷／温水管１４の一部に形成された伝熱管１４Ａが蒸発器１内に配置されている。符号１５は、吸収器２、第１凝縮器７及び第２凝縮器１０に順次冷却水を流通させるための冷却水管であり、この冷却水管１５の一部に形成された各伝熱管１５Ａ、１５Ｂ、１５Ｃがそれぞれ吸収器２、第１凝縮器７及び第２凝縮器１０内に配置されている。また、符号１６は、図示しない熱源発生装置（例えば太陽熱温水器やコージェネレーション装置）で生成された比較的低温（例えば約８０℃程度）の温水を、低熱源再生器９に循環供給するための低熱源供給管である。この低熱源供給管１６は、低熱源再生器９内に配置される伝熱管１６Ａと、この伝熱管１６Ａに並列に接続されるバイパス管１６Ｂと、伝熱管１６Ａに供給する温水の流量を調整するために切り替えられる三方弁２８とを備える。符号５０は、吸収式冷温水機１００全体の制御を司る制御装置である。
【００１３】
吸収器２は、蒸発器１で蒸発した冷媒蒸気を吸収液に吸収させ、蒸発器吸収器胴３内の圧力を高真空状態に保つ機能を有する。この吸収器２の下部には、冷媒蒸気を吸収して稀釈された稀吸収液が溜る稀吸収液溜り２Ａが形成され、この稀吸収液溜り２Ａには、稀吸収液ポンプＰ１を有する稀吸収液管２１の一端が接続され、この稀吸収液管２１の他端、すなわち、稀吸収液ポンプＰ１の下流側は低温熱交換器１２を経由した後、低熱源再生器９内の上部に形成された気層部９Ａに開口している。
【００１４】
低熱源再生器９の下部には、稀吸収液管２１を通じて供給された吸収液が溜る吸収液溜り９Ｂが形成され、この吸収液溜り９Ｂには低熱源供給管１６の一部に形成された伝熱管１６Ａが配置されている。この低熱源供給管１６に温水を流通させることにより、上記伝熱管１６Ａを介して、吸収液を加熱再生、すなわち、吸収液中の冷媒を蒸発させてこの吸収液を濃縮することができる。
また、吸収液溜り９Ｂには、中間吸収液ポンプＰ２を有する第１中間吸収液管２２の一端が接続され、この第１中間吸収液管２２の他端、すなわち、中間吸収液ポンプＰ２の下流側は高温熱交換器１３を経由した後、高温再生器５内に形成された熱交換部５Ａの上方に位置する気層部５Ｂに開口している。
【００１５】
高温再生器５は、ガスバーナ４の火炎を熱源として熱交換部５Ａに溜った吸収液を加熱再生するものであり、熱交換部５Ａの側方には、この熱交換部５Ａで加熱再生された後に当該熱交換部５Ａから流出した中間吸収液が溜る中間吸収液溜り５Ｃが形成されている。この中間吸収液溜り５Ｃの下端には、第２中間吸収液管（中間吸収液管）２３の一端が接続され、この第２中間吸収液管２３の他端は低温再生器６内の上部に形成された気層部６Ａに開口している。また、第２中間吸収液管２３の中間吸収液溜り５Ｃ側には高温熱交換器１３が設けられている。この高温熱交換器１３は、中間吸収液溜り５Ｃから流出した高温の中間吸収液の温熱で第１中間吸収液管２２を流れる吸収液を加熱するものであり、高温再生器５におけるガスバーナ４の燃料消費量の低減を図っている。また、第２中間吸収液管２３の高温熱交換器１３上流側と吸収器２とは開閉弁Ｖ１が介在する吸収液管２４により接続されている。
【００１６】
低温再生器６は、高温再生器５で分離された冷媒蒸気を熱源として、気層部６Ａの下方に形成された吸収液溜り６Ｂに溜った吸収液を加熱再生するものであり、吸収液溜り６Ｂには、高温再生器５の上端部から第１凝縮器７の底部への延びる冷媒管３１の一部に形成される伝熱管３１Ａが配置されている。この冷媒管３１に冷媒蒸気を流通させることにより、上記伝熱管３１Ａを介して、冷媒蒸気の温熱が吸収液溜り６Ｂに溜った吸収液に伝達され、この吸収液が更に濃縮される。
低温再生器６の吸収液溜り６Ｂの下端には、濃吸収液管２５の一端が接続され、この濃吸収液管２５の他端には、吸収器２の気層部２Ｂ上部に設けられる濃液散布器２Ｃに接続されている。濃吸収液管２５には低温熱交換器１２が設けられている。この低温熱交換器１２は、低温再生器６の吸収液溜り６Ｂから流出した濃吸収液の温熱で稀吸収液管２１を流れる稀吸収液を加熱するものである。また、濃吸収液管２５の低温熱交換器１２上流側と、第１中間吸収液管２２の中間吸収液ポンプＰ２上流側とは、バイパス管２６により接続されており、この中間吸収液ポンプＰ２の運転が停止している場合には、低熱源再生器９の吸収液溜り９Ｂから流出した吸収液は、第１中間吸収液管２２、バイパス管２６、低温熱交換器１２及び濃吸収液管２５を通じて、吸収器２内に供給される。
【００１７】
本実施形態では、高温再生器５の中間吸収液溜り５Ｃには、この中間吸収液溜り５Ｃに溜った吸収液の液面を検知する液面センサ（液面検知センサ）５１が設けられている。また、この液面センサ５１の下端部と略同じ高さ位置となる中間吸収液溜り５Ｃの側面部５２には、吸収液供給管２７の一端が接続され、この吸収液供給管２７の他端は、供給開閉弁（開閉弁）Ｖ２を介して、濃吸収液管２５の低温熱交換器１２と濃液散布器２Ｃとの間の接続部２５Ａに接続されている。供給開閉弁Ｖ２は、制御装置５０の制御の下、ガスバーナ４に着火している状態で、中間吸収液溜り５Ｃ内の吸収液の液面高さが上昇して所定高さ以上となった場合、すなわち、液面センサ５１が吸収液に接触している際に開放され、吸収液の液面高さが降下して液面センサ５１が吸収液から離間すると閉塞するように制御される。
また、吸収液供給管２７は、中間吸収液溜り５Ｃに接続される第１水平部２７Ａと、濃吸収液管２５に接続される第２水平部２７Ｂと、これら第１水平部２７Ａ及び第２水平部２７Ｂ間に設けられて下方で湾曲するＵシール部２７Ｃとを備える。第２水平部２７Ｂは、第１水平部２７Ａ、すなわち、液面センサ５１の下端位置よりも高さＨだけ低い位置に設けられ、この高さＨに相当するヘッド差によって、中間吸収液溜り５Ｃから濃吸収液管２５に吸収液が供給されるようになっている。
また、吸収液供給管２７は、低温熱交換器１２の下流側で濃吸収液管２５に接続されているため、高温再生器５から吸収液供給管２７を流通して吸収器２内に吸収液を供給する配管経路の圧力損失を低減し、第１水平部２７Ａと第２水平部２７Ｂとのヘッド差を小さくすることができる。
Ｕシール部２７Ｃは、蒸発器吸収器胴３及び高温再生器５よりも低い高さ位置に設置されており、蒸発器吸収器胴３内の圧力と高温再生器５内の圧力との間に差が生じた場合でも、蒸発器吸収器胴３と高温再生器５との間をシールできるようになっている。
【００１８】
上述のように、高温再生器５の気層部５Ｂと第１凝縮器７の底部とは、低温再生器６の吸収液溜り６Ｂに配管された伝熱管３１Ａを経由する冷媒管３１により接続され、この冷媒管３１の伝熱管３１Ａ上流側と吸収器２の気層部２Ｂとは開閉弁Ｖ３が介在する冷媒管３２により接続されている。
また、第１凝縮器７の底部と蒸発器１の気層部１ＡとはＵシール部３３Ａが介在する冷媒管３３により接続され、その冷媒管３３のＵシール部３３Ａと第２凝縮器１０の底部側とが冷媒管３４により接続されている。また、蒸発器１の下方には、液化した冷媒が溜る冷媒液溜り１Ｂが形成され、この冷媒液溜り１Ｂと蒸発器１の気層部１Ａ上部に配置される散布器１Ｃとは冷媒ポンプＰ３が介在するに冷媒管３５により接続されている。この冷媒管３５の冷媒ポンプＰ３下流側と吸収器２の吸収液溜り２Ａとは開閉弁Ｖ４が介在する冷媒管３６により接続されている。また、冷却水管１５の伝熱管１５Ｂ出口側との冷／温水管１４の伝熱管１４Ａの出口側とは、開閉弁Ｖ５が介在する連通管３７により接続されている。
【００１９】
次に動作について説明する。
冷房等の冷却運転時においては、冷／温水管１４を介して図示しない熱負荷に循環供給されるブライン（例えば冷水）の蒸発器１出口側温度が所定の設定温度、例えば７℃になるように吸収式冷温水機１００に投入される熱量が制御装置５０により制御される。
具体的には、制御装置５０は、例えば、熱負荷が大きく、且つ、低熱源供給管１６を介して低熱源再生器９に供給する温水の温度が所定温度（例えば８５℃）に達している時には、低熱源供給管１６から低熱源再生器９に温水を定格量供給すると共に、全てのポンプＰ１〜Ｐ３を起動し、且つ、ガスバーナ４においてガスを燃焼させる一重二重効用運転を行い、温度センサＳ１が計測するブラインの温度が所定の７℃となるようにガスバーナ４の火力を制御する。
【００２０】
この場合、吸収器２から稀吸収液管２１を介して稀吸収液ポンプＰ１により低熱源再生器９に搬送された稀吸収液は、この低熱源再生器９内の吸収液溜り９Ｂにおいて、低熱源供給管１６から供給される温水により伝熱管１６Ａの管壁を介して加熱されることにより、稀吸収液中の冷媒が蒸発分離される。
【００２１】
冷媒を蒸発分離して吸収液濃度が高くなった中間吸収液は、第１中間吸収液管２２の中間吸収液ポンプＰ２により高温熱交換器１３を経由して加熱され高温再生器５に送られる。高温再生器５に搬送された中間吸収液は、この高温再生器５でガスバーナ４による火炎および高温の燃焼ガスにより加熱されるため、この中間吸収液中の冷媒が蒸発分離する。高温再生器５で冷媒を蒸発分離して濃度が上昇した中間吸収液は、高温熱交換器１３を経由して低温再生器６へ送られる。
そして、中間吸収液は低温再生器６において、高温再生器５から冷媒管３１を介して供給されて伝熱管３１Ａに流入する高温の冷媒蒸気により加熱され、さらに冷媒が分離して濃度が一段と高くなり、この濃吸収液が低温熱交換器１２を経由して吸収器２へ送られ、濃液散布器２Ｃの上方から散布される。
【００２２】
一方、低熱源再生器９で分離生成した冷媒は第２凝縮器１０に入って凝縮し、低温再生器６で分離生成した冷媒は第１凝縮器７に入って凝縮する。そして、第１凝縮器７で生成された冷媒液は冷媒管３３を、第２凝縮器１０で凝縮生成した冷媒液は冷媒管３４を経由して蒸発器１に入り、冷媒ポンプＰ３の運転により揚液されて散布器１Ｃから冷／温水管１４の伝熱管１４Ａの上に散布される。
伝熱管１４Ａの上に散布された冷媒液は、伝熱管１４Ａの内部を通るブラインから気化熱を奪って蒸発するので、伝熱管１４Ａの内部を通るブラインは冷却され、こうして温度を下げたブラインが冷／温水管１４から熱負荷に供給されて冷房等の冷却運転が行われる。
そして、蒸発器１で蒸発した冷媒は吸収器２へ入り、低温再生器６より供給されて上方から散布される濃吸収液に吸収されて、吸収器２の稀吸収液溜り２Ａに溜り、稀吸収液ポンプＰ１によって低熱源再生器９に搬送される循環を繰り返す。
【００２３】
一重二重効用運転時においては、温度センサＳ１が計測する温度が所定の７℃になるように、ガスバーナ４による加熱量、具体的にはガスバーナ４に供給するガス量が制御装置５０により制御される。そして、ガスバーナ４による加熱量を最小にしても、温度センサＳ１が所定の７℃より低い温度を計測すると、制御装置５０は、ガスの燃焼を止めてガスバーナ４による加熱を停止して一重効用運転に移行する。この場合、制御装置５０は、高温再生器５の中間吸収液溜り５Ｃ内に貯留された吸収液の液面高さが、液面センサ５１の下端部よりも高い所定位置となるまで中間吸収液ポンプＰ２を運転し、この所定位置に至った時に、中間吸収液ポンプＰ２の運転を停止する。
【００２４】
一重効用運転における吸収液は、低熱源供給管１６から供給される温水により低熱源再生器９において加熱されて冷媒を蒸発分離する。そして、吸収液濃度が高くなった吸収液は、バイパス管２６、低温熱交換器１２を経由して吸収器２に戻される。
一方、低熱源再生器９で分離生成した冷媒蒸気は第２凝縮器１０に入って凝縮し、冷媒管３４を経由して蒸発器１に流入する。蒸発器１内に流入した冷媒液は、冷媒ポンプＰ３の運転により散布器１Ｃから冷／温水管１４の伝熱管１４Ａの上に散布され、伝熱管１４Ａ内を通るブラインから熱を奪って蒸発し、吸収器２に入って上方から散布される吸収液に吸収される循環が行われる。なお、吸収液が冷媒を吸収する際に発生する熱は、吸収器２内に配置される冷却水管１５の伝熱管１５Ａにより冷却される。
【００２５】
ここで、制御装置５０は、一重効用運転中に、高温再生器５の中間吸収液溜り５Ｃ内に貯留された吸収液の温度を計測し、この温度が所定温度よりも低下した場合には、ガスバーナ４に着火して当該吸収液温度を所定温度以上に保持するように制御する。なお、吸収液の温度によらず、定期的にガスバーナ４に着火しても良い。
【００２６】
一重効用運転時においては、温度センサＳ１が計測する温度が所定の７℃になるように、低熱源再生器９における加熱量、具体的には低熱源供給管１６から伝熱管１６Ａに取り込む温水の量、すなわち三方弁２８の開度が制御装置５０により制御される。
そして、低熱源供給管１６を流れる温水の全量が伝熱管１６Ａに流れるように三方弁２８を操作しても、温度センサＳ１が所定温度の７℃以下の温度を計測しない時には、上記のようにガスバーナ４でガスを燃焼させ、高温再生器５における吸収液の加熱再生と冷媒蒸気の生成とを再開して一重二重効用運転に戻る。
【００２７】
また、一重効用運転時において、熱負荷は大きいが、低熱源供給管１６を介して低熱源再生器９に供給する温水の温度が所定の８５℃以下に低下した時（例えば、天候不順等により太陽熱温水器から供給される温水温度が安定しない時）には、低熱源供給管１６から低熱源再生器９に温水が供給されないように三方弁２８を切り替えると共に、全てのポンプＰ１〜Ｐ３を起動し、且つ、ガスバーナ４においてガスを燃焼させる二重効用運転を行う。この場合も、温度センサＳ１が計測するブラインの温度が所定温度の７℃となるように、ガスバーナ４の火力が制御装置５０により制御される。
この二重効用運転では、吸収器２の稀吸収液溜り２Ａにある稀吸収液は稀吸収液ポンプＰ１により低熱源再生器９に搬送されて吸収液溜り９Ｂに貯留されるが、伝熱管１６Ａには熱源としての温水は供給されていない。このため、低熱源再生器９に搬送された稀吸収液は、加熱されることなく中間吸収液ポンプＰ２の運転により高温熱交換器１３を経由して高温再生器５に搬送され、その後は一重二重効用運転と同様に循環しながら加熱されて、高温再生器５と低温再生器６とで吸収液の濃縮再生と冷媒の分離生成とがなされる。この二重効用運転時に、低熱源再生器９に供給する温水の温度が所定の８５℃に達した時には、冷却負荷の大きさに応じて、一重二重効用運転または一重効用運転が行われる。
【００２８】
本構成では、一重効用運転から二重効用運転または一重二重効用運転に移行する場合、制御装置５０は、吸収液供給管２７に設けられた供給開閉弁Ｖ２が開放される。これにより、吸収液供給管２７を通じて、高温再生器５の中間吸収液溜り５Ｃ内の高濃度の吸収液を直ちに吸収器２に供給することができるため、吸収器２に供給される吸収液の濃度の低下が防止され、この濃度低下に伴う蒸発量の低下が抑制できるため、蒸発器１での熱交換が十分に行われ、ブライン温度を安定させることができる。
さらに、供給開閉弁Ｖ２は、液面センサ５１が検知した液面高さが所定の高さ以上の時に開放するように制御されるため、高温再生器５の中間吸収液溜り５Ｃ内に貯留される際の液面高さを予め規定しておけば、供給開閉弁Ｖ２が開放された際の供給量（オーバーフロー量）を簡単に算出できるため、高温再生器５の中間吸収液溜り５Ｃから吸収器２へ吸収液を供給する際の制御を容易に行うことができる。
【００２９】
また、二重効用運転または一重二重効用運転から一重効用運転に移行する際に、低熱源再生器９から高温再生器５への吸収液の供給を停止するため、低熱源再生器９から高温再生器５への濃度の低い吸収液の供給を防止できる。このため、温水単独運転中における高温再生器５内の吸収液を所定濃度よりも高い濃度に保持することができ、例えば、一重効用運転から二重効用運転に移行する際に、供給開閉弁Ｖ２を開放するだけで、高温再生器５の中間吸収液溜り５Ｃ内の高濃度の吸収液を直ちに吸収器２に供給することができる。
【００３０】
また、一重効用運転中に、高温再生器５の中間吸収液溜り５Ｃ内に貯留された吸収液の温度が所定温度よりも低下した場合には、制御装置５０はガスバーナ４を着火するため、高温再生器５内での吸収液の温度低下を抑えることにより、この吸収液の結晶化が防止される。このため、一重効用運転中における高温再生器５内の吸収液を所定濃度よりも高い濃度に保持することができる。このため、例えば、一重効用運転から二重効用運転に移行する際に、供給開閉弁Ｖ２を開放するだけで、高温再生器５の中間吸収液溜り５Ｃ内の高濃度の吸収液を直ちに吸収器２に供給することができる。
【００３１】
上記した実施形態は本発明を適用した一態様を示すものであって、本発明は上記実施形態に限定されない。例えば、上記した実施形態では、吸収液供給管２７の一端は中間吸収液溜り５Ｃの側面部５２に接続され、吸収液供給管２７の他端は供給開閉弁Ｖ２を介して、濃吸収液管２５の低温熱交換器１２と濃液散布器２Ｃとの間の接続部２５Ａに接続されている構成としたが、これに限るものではなく、図２に示すように、吸収液供給管２７の一端を、第２中間吸収液管２３における中間吸収液溜り５Ｃと高温熱交換器１３との間に設けられた接続部２３Ａに接続しても良い。
この構成では、吸収液供給管２７の第１水平部２７Ａは、第２水平部２７Ｂよりも下方に位置するが、中間吸収液溜り５Ｃに溜った吸収液の液面高さ（液面センサ５１の下端位置）は、第２水平部２７Ｂよりも高さＨだけ高く設けられるため、この高さＨに相当するヘッド差によって、中間吸収液溜り５Ｃから濃吸収液管２５に吸収液が供給される。
【００３２】
また、図３に示すように、吸収液供給管２７の他端を供給開閉弁Ｖ２を介して、濃吸収液管２５における低温再生器６と低温熱交換器１２との間に設けられた接続部２５Ｂに接続しても良い。この構成によれば、低温熱交換器１２の上流側で、吸収液供給管２７を流通する高温の吸収液と、低温再生器６から流出した吸収液とを混合することができるため、低温熱交換器１２において、稀吸収液管２１を流れる吸収液に多くの熱量を与えることができる。更に、図４に示すように、吸収液供給管２７の一端を第２中間吸収液管２３の上記接続部２３Ａに接続し、吸収液供給管２７の他端を供給開閉弁Ｖ２を介して、濃吸収液管２５の上記接続部２５Ｂに接続しても良い。
また、上記した実施形態では、高温再生器５にて吸収液を加熱する加熱手段として燃料ガスを燃焼させて加熱を行うガスバーナ４を備える構成について説明したが、これに限るものではなく、灯油やＡ重油を燃焼させるバーナを備える構成や、蒸気や排気ガス等の温熱を用いて加熱する構成としてもよい。
【図面の簡単な説明】
【００３３】
【図１】本実施形態にかかる吸収式冷温水機の概略構成図である。
【図２】吸収冷温水機の変形例を示す概略構成図である。
【図３】吸収冷温水機の別の変形例を示す概略構成図である。
【図４】吸収冷温水機の別の変形例を示す概略構成図である。
【符号の説明】
【００３４】
１  蒸発器
２  吸収器
４  ガスバーナ（加熱手段）
５  高温再生器
５Ｃ  中間吸収液溜り
６  低温再生器
７  第１凝縮器
９  低熱源再生器
１０  第２凝縮器
１１  低熱源再生器凝縮器胴
１２  低温熱交換器
１３  高温熱交換器
１４  冷／温水管
１５  冷却水管
１６  低熱源供給管
２３  第２中間吸収液管（中間吸収液管）
２５  濃吸収液管
２７  吸収液供給管
２７Ａ  第１水平部
２７Ｂ  第２水平部
２７Ｃ  Ｕシール部
５０  制御装置
５１  液面センサ（液面検知センサ）
５２  側面部
１００  吸収式冷温水機（吸収式冷凍機）
Ｐ２  中間吸収液ポンプ
Ｖ２  供給開閉弁（開閉弁）
【図１】
2010266170.tif 000003
【図２】
2010266170.tif 000004
【図３】
2010266170.tif 000005
【図４】
2010266170.tif 000006